(57)【要約】【課題】ディスプレイパネルの回転式検査装置及び方法を提供する。【解決手段】本発明はエージング（ａｇｉｎｇ）が必要な小型ディスプレイパネルの点灯検査を連続的に実施できるディスプレイパネルの回転式検査装置及びその方法に関する。本発明のディスプレイパネルの回転式検査装置は、ベース上部に回転可能なように設置されるターンテーブルと、ターンテーブル上部に設置され、ディスプレイパネルを検査する検査ユニットとを備える。ここで、ターンテーブルは一定角度ずつ回転され、検査ユニットはターンテーブルの回転軸を中心に一定角度毎に設置されることができる。このような構成のディスプレイパネルの回転式検査装置は、ディスプレイパネルの検査を行う検査ユニットを回転方式により旋回するようなターンテーブルを配置させることによってディスプレイパネルの連続検査を可能として生産量を増加させることができる。【選択図】図２
2006338009.tif 000002
【特許請求の範囲】
【請求項１】
ディスプレイパネルの回転式検査装置において、
ベースと、
該ベースの上部に回転可能なように設置されるターンテーブルと、
該ターンテーブル上部に設置され、ディスプレイパネルを検査する検査ユニットと、
を含むことを特徴とするディスプレイパネルの回転式検査装置。
【請求項２】
前記検査ユニットは、
前記ターンテーブルに斜めに設置されるベースプレートと、
該ベースプレートの前面に設置される少なくとも一つのバックライトユニットと、
該バックライトユニットの前方に配置され、前面に検査のためのディスプレイパネルが搭載されるワークテーブルと、
前記ワークテーブルに搭載されたディスプレイパネルと電気的に接続されるプローブを有するプローブユニットと、
を含むことを特徴とする請求項１に記載のディスプレイパネルの回転式検査装置。
【請求項３】
前記検査ユニットは、
前記ワークテーブルからディスプレイパネルを交換する場合において、前記プローブユニットとの干渉を防止するために、ディスプレイパネル前方に位置する前記プローブユニットをディスプレイパネル側方に移動させる第１移動部材をさらに含むことを特徴とする請求項２に記載のディスプレイパネルの回転式検査装置。
【請求項４】
前記第１移動部材は、
前記プローブユニットを支持し、前記ベースプレートの後面に一の方向にスライド可能に設置される移動プレートと、
該移動プレートを前記一の方向にスライド移動させる第１駆動部と、
を含むことを特徴とする請求項３に記載のディスプレイパネルの回転式検査装置。
【請求項５】
前記検査部は、
前記プローブユニットのプローブがディスプレイパネルと接続または分離されるように前記プローブユニットを上下動させる第２移動部材をさらに含むことを特徴とする請求項４に記載のディスプレイパネルの回転式検査装置。
【請求項６】
前記第２移動部材は、
前記移動プレート上に設置され、一端は前記プローブユニットと連結される移動軸と、
前記移動軸の他端と連結される連結バーと、
前記移動プレート上に設置され、前記連結バーをアップダウンさせる第２駆動部と、
を含むことを特徴とする請求項５に記載のディスプレイパネルの回転式検査装置。
【請求項７】
前記ターンテーブルは一定角度ずつ回転され、前記検査ユニットは前記ターンテーブルの回転軸を中心として一定角度毎に設置されることを特徴とする請求項１に記載のディスプレイパネルの回転式検査装置。
【請求項８】
ディスプレイパネルの回転式検査装置において、
ディスプレイパネルを検査する検査ユニットを有するターンテーブルを有し、
該ターンテーブルは、前記検査ユニットがディスプレイパネルの交換作業が行われる交換位置と、ディスプレイパネルの検査作業が行われる検査位置とを旋回するように回転されることを特徴とするディスプレイパネルの回転式検査装置。
【請求項９】
前記交換位置と前記検査位置との間に配置され、ディスプレイパネルが前記交換位置から前記検査位置に移動する間に、エージングが行われるエージング位置をさらに含むことを特徴とする請求項８に記載のディスプレイパネルの回転式検査装置。
【請求項１０】
ターンテーブルの周辺部に複数の検査ユニットを提供し、前記ターンテーブルを回転させることによって検査工程を実行し、
前記ターンテーブルの回転によって前記検査ユニットが到達される複数のポジションのうちのいずれか一つのポジションに到達した検査ユニットではディスプレイパネルの交換が行われ、他の一つのポジションに到達した検査ユニットではディスプレイパネルの点灯検査が行われることを特徴とするディスプレイパネルの回転式検査方法。
【請求項１１】
前記他の一つのポジションに到達した検査ユニットではディスプレイパネルのエージングが行われることをさらに含むことを特徴とする請求項１０に記載のディスプレイパネルの回転式検査方法。
【請求項１２】
前記ディスプレイパネルのエージングが行われるポジションが複数であることを特徴とする請求項１１に記載のディスプレイパネルの回転式検査方法。
【発明の詳細な説明】
【技術分野】
【０００１】
本発明のディスプレイパネルの検査装置及び方法に係り、さらに詳細にはエージング（ａｇｉｎｇ）を必要とする小型ディスプレイパネルの点灯検査を連続して実施できるディスプレイパネルの回転式検査装置及び方法に関する。
【背景技術】
【０００２】
一般的に液晶表示装置（ＴＦＴ−ＬＣＤ）のような平板ディスプレイ（ｆｌａｔ  ｐａｎｅｌ  ｄｉｓｐｌａｙ）は量産技術の確立及び研究開発の成果により大型化と高解像度化が急速に進展している。さらには、ノートブックコンピュータ用のみならず携帯用端末機用応用製品としての開発がなされ、既存の単色、単機能ディスプレイなどの製品を徐々に代替し、ディスプレイ産業における比重は次第に増大している。
【０００３】
このような平板ディスプレイ装置については、製造ラインの最終段階で点灯検査が実行される。点灯検査として、プローブユニットを利用して平板ディスプレイ（以下、ディスプレイパネルと呼ぶ）のデータライン及びゲートラインの各々の単線検査、色相検査及び肉眼検査などが実施される。
【０００４】
図１は、エージングが必要な小型ディスプレイパネルを取り扱い及び検査するための検査装置２００を示す図でおり、この検査装置２００での検査過程を簡略に説明すれば、以下の通りである。
【０００５】
まず、作業者が１２個のディスプレイパネル１０が載置される第１ワークテーブルベース２１２を第２の交換位置から中央の第１の検査位置に移動させて、第１の検査位置に既にある第２ワークテーブルベース２１４を第３の交換位置に移動させる。作業者は第１の検査位置でディスプレイパネル１０を点灯してエージング（ａｇｉｎｇ）する。そして、ディスプレイパネル１０がエージングされている間に、作業者は第３の交換位置に移動して１２個の検査完了したディスプレイパネル１０を抽出し、新たなディスプレイパネルをワークテーブルベース２１４に載置する。その後に、作業者は第１の検査位置に再び移動して、エージングされたディスプレイパネル１０の点灯状態を検査する。
【０００６】
このような既存検査装置２００は次のような問題を有する。第一に、ディスプレイパネル１０を検査位置に移動させ点灯させた後にエージングする時間を必要とするため、連続検査を実施することが困難であり、検査効率を高めることができない。第二に、多数のディスプレイパネル１０を一度に載置して検査できる利点がある反面、検査位置の高さに差があり、しかも該検査位置の幅が広いため、検査者がディスプレイパネル１０を様々な角度から検査するのが不可能である（特に、最上段の三つのディスプレイパネルと最下段の三つのディスプレイパネルの目視検査が困難である）。第三に、多数のディスプレイパネル１０を一度に検査するためにワークテーブルの数が多くなるので、管理工数及び空間を効率的に活用することが困難である。第四に、多数のディスプレイパネルを一度に検査するためには、バックライトユニット（図示せず）及びワークテーブルベース２１２，２１４（左右に移動するプレート）が必然的に大きくなる。これによって、装置も大型化される。第五に、ディスプレイパネル１０を点灯させた後にエージングしている間、ディスプレイパネル１０の供給及び抽出を行う方式による連続検査の実施が困難であり、検査効率を高めることができない。
【発明の開示】
【発明が解決しようとする課題】
【０００７】
本発明は、ディスプレイパネルの検査を効率的に実行できるディスプレイパネルの回転式検査装置及び方法を提供することを目的とする。
【０００８】
また、本発明は検査時間の短縮及びディスプレイパネルの連続検査が可能であり、かつ検査装置の小型化が可能なディスプレイパネルの回転式検査装置及び方法を提供することを目的とする。
【課題を解決するための手段】
【０００９】
本発明は、回転式のディスプレイイパネル検査装置を提供する。本発明における装置は、ベース、該ベースの上部に回転可能なように設置されるターンテーブル、及び該ターンテーブルの上部に設置され、ディスプレイパネルを検査する検査ユニットを含む。
【００１０】
一実施形態によると、前記検査ユニットは前記ターンテーブルに斜めに設置されるベースプレート、該ベースプレートの前面に設置される少なくとも一つのバックライトユニット、該バックライト前方に配置され、前面に検査するためのディスプレイパネルが搭載されるワークテーブル、及び該ワークテーブルに搭載されたディスプレイパネルと電気的に接続されるプローブブロックを有するプローブユニットを含むことができる。
【００１１】
一実施形態によると、前記検査ユニットは、前記ワークテーブルからディスプレイパネルを交換する場合、前記プローブユニットとの干渉を防止するために、ディスプレイパネル前方に位置した前記プローブユニットをディスプレイパネル側方に移動させる第１移動部材をさらに含むことができる。該第１移動部材は前記プローブユニットを支持し、前記ベースプレート後面に一の方向にスライド可能なように設置される移動プレート、該移動プレートを一の方向にスライド移動させる第１駆動部を含む。
【００１２】
一実施形態によると、前記検査部は、前記プローブユニットのプローブがディスプレイパネルと接続または分離されるように前記プローブユニットをアップダウンさせる第２移動部材をさらに含むことができる。該第２移動部材は前記移動プレート上に設置され、その一端には、前記プローブユニットと連結される移動軸、該移動軸の他端と連結される連結バー、前記移動プレート上に設置され、前記連結バーをアップダウンさせる第２駆動部を含むことができる。
【００１３】
一実施形態によると、前記ターンテーブルは一定角度ずつ回転し、前記検査ユニットは前記ターンテーブルの回転軸を中心として一定角度毎に設置されることができる。
【００１４】
上述の目的を達成するために本発明のディスプレイパネルの回転式検査装置は、ディスプレイパネルを検査する検査ユニットを有するターンテーブルを有し、該ターンテーブルは、前記検査ユニットがディスプレイパネルの交換作業が行われる交換位置と、ディスプレイパネルの検査作業が行われる検査位置とを旋回するように回転できることを特徴とする。
【００１５】
一実施形態によると、前記交換位置と前記検査位置との間に配置され、ディスプレイパネルが前記交換位置から前記検査位置に移動する間にエージングが行われるエージング位置をさらに含むことができる。
【００１６】
また、本発明は、ディスプレイパネルの回転式検証方法を提供する。本発明の方法によると、ターンテーブルの周辺部に複数の検査ユニットを有し、前記ターンテーブルを回転させることによって検査工程を実行し、前記ターンテーブルの回転によって前記検査ユニットが到達される複数のポジションのうちのいずれか１つのポジションに到達した検査ユニットでは、ディスプレイパネルの交換が行われ、他の一つのポジションに到達した検査ユニットでは、ディスプレイパネルの点灯検査が行われる。
【００１７】
また他の一つのポジションに到達した検査ユニットでは、ディスプレイパネルのエージングを行うことができる。前記ディスプレイのエージングが行われる複数のポジションを提供することができる。
【発明の効果】
【００１８】
上述のように、本発明のディスプレイパネルの回転式検査装置によりディスプレイパネルの連続検査が可能となり、処理能力が向上するという格別な効果を有する。
【００１９】
本発明のディスプレイパネルの回転式検査装置は、既存の検査装置に対して小型化することによって、検査角度の維持が可能となり、検査者の疲労度軽減及び正確な点灯検査が可能となる格別な効果を有する。
【００２０】
本発明のディスプレイパネルの回転式検査装置は、投入作業者の数量管理が可能となり、工程上の生産量調整が容易となる。
【発明を実施するための最良の形態】
【００２１】
例えば、本発明の実施形態は多様な形態に変形可能であり、本発明の技術的範囲は後述する実施形態に限定されない。本実施形態は、当該発明の属する分野における平均な知識を持つ者に本発明をより完全に説明するために提供されるものである。従って、図面における構成要素の形状などは、より明確な説明を強調するために誇張されている場合がある。
【００２２】
本発明の実施形態を添付した図２から図１０に基づいて詳細に説明する。また、前記図面で同一な機能を実行する構成要素に対しては同一の参照番号を用いる。
【００２３】
図２及び図３は、本発明の実施形態によるディスプレイパネルの回転式検査装置の正面図及び平面図である。
【００２４】
本発明のディスプレイパネルの回転式検査装置１００はプローブユニットを利用したエージング（ａｇｉｎｇ）が必要な小型検査対象物（以下、ディスプレイパネル１０）のデータライン及びゲートラインの各々の単線及び色相検査などを利用した肉眼検査を実施するための装置である。
【００２５】
本発明のディスプレイパネルの回転式検査装置１００は、小型ディスプレイパネル１０の連続検査を可能として生産量を増加させるためのものである。図２及び図３を参照すると、本発明の回転式検査装置１００はディスプレイパネル１０の検査が行われる検査ユニット１２０を回転方式で旋回させる構造を有することを特徴とする。
【００２６】
本発明のディスプレイパネルの回転式検査装置１００は、主たる要素として、ベース１０２、ターンテーブル１１０、及び四つの検査ユニット１２０を含む。
【００２７】
ターンテーブル１１０はベース１０２上部に回転可能なように設置される。ターンテーブル１１０には、四つの検査ユニット１２０が９０度毎に設置される。四つの検査ユニット１２０が設置されたターンテーブル１１０は９０度間隔で回転される。即ち、本発明のディスプレイパネル回転式検査装置１００は、ターンテーブル１１０に設置された四つの検査ユニット１２０がディスプレイパネル１０の交換作業が行われる第１ポジション（交換位置：ａ）からエージングが進行される第２，３ポジション（エージング位置：ｂ，ｃ）及びエージングされたディスプレイパネルの点灯検査が行われる第４ポジション（検査位置：ｄ）を段階的に旋回移動させることを可能としている。上述の構造によってディスプレイパネル１０の連続検査が可能となる。ここで、ターンテーブル１１０の回転は、ベース１０２内部に設置されるモータのような通常の回転駆動装置（図示せず）によって行われることができる。
【００２８】
一方、ターンテーブル１１０に設置される検査ユニット１２０は、四つのディスプレイパネル１０に対する点灯検査を実行する。検査ユニット１２０では、ワークテーブル１２４にローディングされたディスプレイパネル１０の後方に設けられたバックライトユニット（光源）１２６から光を照射することによって製造工程上発生するディスプレイパネル１０の斑やディスプレイパネル１０のデータラインとゲートラインの単線状態及び色相などを検査する。
【００２９】
図４から図７を参照すると、検査ユニット１２０はベースプレート１２２を有する。ベースプレート１２２は、ターンテーブル１１０に約６０度の角度で着脱可能なように設置される。ベースプレート１２２の前面には、ディスプレイパネル１０を解除可能なように吸着する四つのワークテーブル１２４が設置される。ベースプレート１２２には、ワークテーブル１２４の各々に載置されるディスプレイパネル１０後方から照射するために点灯されるバックライトユニット１２６が、ワークテーブル１２４後方に設置される。ワークテーブル１２４前方には、ワークテーブル１２４に搭載されたディスプレイパネル１０と電気的に接続されるプローブブロック１２９を有するプローブユニット１２８が配置される。ここで、ディスプレイパネル１０の種類によって自発光可能なパネルを検査する場合には、バックライトユニットは利用されない。
【００３０】
本発明におけるターンテーブル１１０に設置される検査ユニット１２０の数は本実施形態のみに限定される訳ではない。図８のようにターンテーブル１１０に８個の検査ユニット１２０配置することも可能である。さらには、それ以上、またはそれ以下の検査ユニットを配置することも可能である。図８のような８個の検査ユニット１２０を有するターンテーブル１１０は、約４５度間隔で回転する。
【００３１】
一方、ベースプレート１２２後面にはプローブユニット１２８をＹ軸とＸ軸に移動させるための第１、２移動部材１３０，１３６が設置される。プローブユニット１２８は第１移動部材１３０によってＹ軸方向（図６に図示する）に移動される。第１移動部材１３０は、作業者がワークテーブル１２４からディスプレイパネル１０を交換する過程でプローブユニット１２８を損傷させないようにプローブユニット１２８をワークテーブル１２４前方から解除可能なように移動させるためのものである。
【００３２】
図９は、プローブユニット１２８がディスプレイパネル１０の交換が容易な位置に移動された状態の検査ユニット１２０を示す。図９に図示するように、プローブユニット１２８は点線位置から第１移動部材１３０によってＹ軸方向に移動され、プローブユニット１２８が移動された状態（実線で表示する）でディスプレイパネル１０の交換作業が進行される。
【００３３】
図１０は、プローブユニット１２８がディスプレイパネル１０と電気的に接続される位置に移動された状態の検査ユニット１２０を示す。
【００３４】
図１０に示すように、プローブユニット１２８は第２移動部材１３６によってＺ軸方向に上下動して、この移動によってディスプレイパネル１０と電気的に接続し、又はその接続が解除される。
【００３５】
第１移動部材１３０及び第２移動部材１３６に対してさらに具体的に見ると、第１移動部材１３０は移動プレート１３２を有する。移動プレート１３２はベースプレート１２２後面にＹ軸方向にスライドして移動可能なように設置される。ベースプレート１２２後面には移動プレート１３２のスライド移動をガイドするガイドレール１３５が設置される。移動プレート１３２は、ベースプレート１２２後面下端部に設置された二つの第１シリンダ１３４によって移動される。第２移動部材１３６は、移動プレート１３２の角の部分にプローブユニット１２８と連結される移動軸１３８を有する。プローブユニット１２８はこれらの移動軸１３８によって支持され、同一線上に位置する二つの移動軸１３８は連結バー１４０によって連結される。連結バー１４０は移動プレート１３２に設置された第２シリンダ（駆動部）１４２によってＺ方向に移動される。例えば、本実施形態では、移動プレート１３２の移動及び連結バー１４０の移動のための駆動部としてシリンダを例示し説明したが、これは一つの例にすぎず、求められる精度によってボールスクリュやリニアモータなどの多様な駆動装置を用いることが可能である。
【００３６】
このように構成されたディスプレイパネルの回転式検査装置での検査過程は、次の手順で行われる。
【００３７】
まず、第１ポジションａでは、ディスプレイパネル１０の抽出及び投入作業が行われる。そして第２，３ポジションｂ，ｃではディスプレイパネル１０のエージングが行われ、第４ポジションｄではディスプレイパネル１０の点灯検査が行われる。即ち、ディスプレイパネル１０は、第１ポジションａで検査ユニット１２０の四つのワークテーブル１２４に交換するために投入される。第１ポジションａで検査ユニット１２０に投入されたディスプレイパネル１０は点灯された状態で第２ポジションｂ及び第３ポジションｃを経由しエージングされ、第４ポジションｄに移動した後、そこで点灯検査を実行される。そして第４ポジションｄで点灯検査を完了したディスプレイパネル１０は再び第１ポジションａに移動された後、作業者によって抽出され、その検査ユニット１２０には検査のために新たなディスプレイパネル１０が投入される。
【００３８】
一方、第１ポジションａでのディスプレイパネル１０の抽出投入過程を見ると、次のようである。まず、プローブユニット１２８は第２駆動部材１３６によってＺ方向に上昇移動されてディスプレイパネルから離隔された後（図９参照）、第１駆動部材１３０によってＹ方向に移動され、ディスプレイパネル１０前方から解除される。この状態で作業者がワークテーブル１２４からディスプレイパネル１０の抽出及び投入作業を実行する。新たなディスプレイパネル１０がワークテーブル１２４に載置されると、プローブユニット１２８は反対側に移動されディスプレイパネル１０と電気的に接続されてディスプレイパネル１０を点灯させる。
【００３９】
例えば、本発明のディスプレイパネルの回転式検査装置１００は、第１ポジションａ及び第３ポジションｃでディスプレイパネル１０の抽出及び投入作業をし、第２ポジションｂ及び第４ポジションｄで点灯検査を実行可能である。このような場合においては、エージングを必要としないディスプレイパネル１０の検査に適用できることは、非常に有効である。このように、第２，４ポジションｂ，ｄの二つの場所で点灯検査を実施する場合には、検査処理量を２倍に向上させることができる。
【００４０】
一方、本発明は、前記の構成で形成されたディスプレイパネルの回転式検査装置において多様に変形されることができ、様々な形態を実施することが可能である。しかし、本発明は前記の詳細な説明で言及される特別な実施形態に限定される訳ではなく、むしろ特許請求の範囲によって定義される本発明の技術的思想及び前記範囲内にある全ての変形物と均等物及び代替物を含むと理解すべきである。
【図面の簡単な説明】
【００４１】
【図１】従来のディスプレイパネルの検査装置を示す図面である。
【図２】本発明の実施例によるディスプレイパネルの回転式検査装置の正面図である。
【図３】図２に図示されたディスプレイパネルの回転式検査装置の平面図である。
【図４】図２に図示された検査ユニットを示す正面斜視図と後面斜視図である。
【図５】図２に図示された検査ユニットを示す正面斜視図と後面斜視図である。
【図６】図２に図示された検査ユニットを示す側面図及び正面図である。
【図７】図２に図示された検査ユニットを示す側面図及び正面図である。
【図８】八つの検査ユニットを有するディスプレイパネルの回転式検査装置を示す平面図である。
【図９】プローブユニットがディスプレイパネルの交換が容易な位置に移動された状態の検査ユニットを示す図面である。
【図１０】プローブユニットがディスプレイパネルと電気的に接続される位置に移動された状態の検査ユニットを示す図面である。
【符号の説明】
【００４２】
１０２  ベース
１１０  ターンテーブル
１２０  検査ユニット
【図１】
2006338009.tif 000003
【図２】
2006338009.tif 000004
【図３】
2006338009.tif 000005
【図４】
2006338009.tif 000006
【図５】
2006338009.tif 000007
【図６】
2006338009.tif 000008
【図７】
2006338009.tif 000009
【図８】
2006338009.tif 000010
【図９】
2006338009.tif 000011
【図１０】
2006338009.tif 000012